(57)【要約】【課題】配線部材が基板収納ケース外部の予備の封止部材と接触して破損するおそれを低減可能な遊技機を提供する。【解決手段】基板収納ケース５５の外面には、封止部で封止する前の予備の封止部材９３を保持する保持部材７５０と、前記保持部材７５０で保持されている予備の封止部材９３に配線部材Ｃが接近して接触するのを防ぐ接触抑制部７５３とが設けられ、前記保持部材７５０で保持された予備の封止部材９３が前記保持部材７５０による保持位置からでは前記封止部の封止をできないように構成した。【選択図】      図７
2007143903.tif 000002
【特許請求の範囲】
【請求項１】
電気的に接続可能な配線部材と、
制御基板を内部に収納可能な基板収納ケースと、
を備え、
前記配線部材は、少なくとも一部が前記基板収納ケースの外部に配設され、
前記基板収納ケースは、ケース体と該ケース体に被さるカバー体とよりなり、前記ケース体と前記カバー体を封止部材で封止するための封止部が前記ケース体と前記カバー体に形成されている遊技機において、
前記基板収納ケースの外面には、前記封止部で封止する前の予備の封止部材を保持する保持部材と、前記保持部材で保持されている前記予備の封止部材に前記配線部材が接近して接触するのを防ぐ接触抑制部とが設けられ、
前記保持部材で保持された前記予備の封止部材が前記保持部材による保持位置からでは前記封止部の封止をできないように構成されていることを特徴とする遊技機。
【請求項２】
前記基板収納ケースの外面には前記保持部材が取り付けられる保持部材取付面が形成され、
前記保持部材には前記予備の封止部材を保持するための保持部と、当該保持部材を前記保持部材取付面に取り付けるための保持部材取付部と、前記保持部材取付部から前記基板収納ケースの外方に向けて突出し前記接触抑制部の少なくとも一部を構成する突出部とが設けられ、
前記予備の封止部材の少なくとも一部が前記保持部材の保持部と前記基板収納ケースの保持部材取付面で係合されることにより、前記基板収納ケースの外部に前記予備の封止部材が位置固定されていることを特徴とする請求項１に記載の遊技機。
【請求項３】
前記基板収納ケースの外面には凹部が形成され、前記凹部の内面に保持部材取付面が形成されていると共に、前記保持部材で保持された前記予備の封止部材が前記凹部から突出しないようにして前記凹部に配置されていることを特徴とする請求項１に記載の遊技機。
【請求項４】
前記基板収納ケースの外面には凹部が形成され、前記凹部の内面に保持部材取付面が形成されていると共に、前記保持部材で保持された前記予備の封止部材が前記凹部から突出しないようにして前記凹部に配置され、
前記保持部材には前記予備の封止部材を保持するための保持部と、当該保持部材を前記保持部材取付面に取り付けるための保持部材取付部と、前記保持部材取付部から前記凹部の外方に向けて突出し前記接触抑制部の少なくとも一部を構成する突出部とが設けられ、
前記予備の封止部材は、少なくとも一部が前記保持部材の保持部と前記基板収納ケースの保持部材取付面で係合されることにより前記凹部に位置固定されていることを特徴とする請求項１に記載の遊技機。
【請求項５】
前記予備の封止部材は前記保持部材取付面から外部側に突出した状態で前記保持部材に保持され、
前記予備の封止部材を保持した位置側と前記配線部材が配設された位置側との間に、前記保持部材の突出部が位置するように構成され、前記配線部材が配設された位置から前記予備の封止部材を保持した位置側へ移動するのを前記突出部で抑えていることを特徴とする請求項２または４に記載の遊技機。
【請求項６】
前記保持部材の突出部における一部には、前記配線部材が配設された位置側に向けて突出した突部が形成され、前記突部と前記基板収納ケースの外面間に配置された前記配線部材が前記突出部から外れて前記予備の封止部材が位置する側へ移動するのを前記突部で抑えていることを特徴とする請求項５に記載の遊技機。
【請求項７】
電気的に接続可能な配線部材と、
制御基板を内部に収納可能な基板収納ケースと、
を備え、
前記配線部材は、少なくとも一部が前記基板収納ケースの外部に配設され、
前記基板収納ケースは、ケース体と該ケース体に被さるカバー体とよりなり、前記ケース体と前記カバー体を封止部材で封止するための封止部が前記ケース体と前記カバー体に形成されている遊技機において、
前記基板収納ケースの外面には、前記封止部で封止する前の予備の封止部材を保持する封止部材保持部が設けられると共に、前記封止部材保持部で保持された前記予備の封止部材が前記封止部材保持部による保持位置から前記封止部の封止をできるように構成され、
前記基板収納ケースの外面には、前記封止部材保持部で保持されている前記予備の封止部材に対し前記基板収納ケースの外部に位置する前記配線部材の少なくとも一部が接近して接触するのを防ぐ接触抑制部が設けられていることを特徴とする遊技機。
【発明の詳細な説明】
【技術分野】
【０００１】
本発明は、電気的に接続可能な配線部材と、基板収納ケースとを備え、前記基板収納ケースを構成するケース体と前記カバー体を封止するための予備の封止部材を基板収納ケースに備える遊技機に関する。
【背景技術】
【０００２】
従来、パチンコ遊技機等の遊技機には、電気的に接続可能な配線部材と、基板収納ケースとを備え、前記基板収納ケースを構成するケース体と前記カバー体を封止するための予備の封止部材を基板収納ケースの外部に備えたものがある。前記予備の封止部材は、修理や検査などの際に前記基板収納ケースの封止を解除した場合、その後に再度基板収納ケースを封止するのに用いられる。
【０００３】
しかし、従来の遊技機にあっては、基板収納ケースの外部に設けられている予備の封止部材と配線部材が接触して配線部材が破損するなどのおそれがあった。
【０００４】
【特許文献１】特開２００１−１６１８９１号公報（段落００８８及び図６のセフティロックピン５００）
【発明の開示】
【発明が解決しようとする課題】
【０００５】
本発明は、前記の点に鑑みてなされたものであって、配線部材が基板収納ケースの予備の封止部材と接触して破損するおそれを低減可能な遊技機の提供を目的とする。
【課題を解決するための手段】
【０００６】
請求項１の発明は、電気的に接続可能な配線部材と、制御基板を内部に収納可能な基板収納ケースと、を備え、前記配線部材は、少なくとも一部が前記基板収納ケースの外部に配設され、前記基板収納ケースは、ケース体と該ケース体に被さるカバー体とよりなり、前記ケース体と前記カバー体を封止部材で封止するための封止部が前記ケース体と前記カバー体に形成されている遊技機において、前記基板収納ケースの外面には、前記封止部で封止する前の予備の封止部材を保持する保持部材と、前記保持部材で保持されている前記予備の封止部材に前記配線部材が接近して接触するのを防ぐ接触抑制部とが設けられ、前記保持部材で保持された前記予備の封止部材が前記保持部材による保持位置からでは前記封止部の封止をできないように構成されていることを特徴とする。
【０００７】
請求項２の発明は、請求項１において、前記基板収納ケースの外面には前記保持部材が取り付けられる保持部材取付面が形成され、前記保持部材には前記予備の封止部材を保持するための保持部と、当該保持部材を前記保持部材取付面に取り付けるための保持部材取付部と、前記保持部材取付部から前記基板収納ケースの外方に向けて突出し前記接触抑制部の少なくとも一部を構成する突出部とが設けられ、前記予備の封止部材の少なくとも一部が前記保持部材の保持部と前記基板収納ケースの保持部材取付面で係合されることにより、前記基板収納ケースの外部に前記予備の封止部材が位置固定されていることを特徴とする。
【０００８】
請求項３の発明は、請求項１において、前記基板収納ケースの外面には凹部が形成され、前記凹部の内面に保持部材取付面が形成されていると共に、前記保持部材で保持された前記予備の封止部材が前記凹部から突出しないようにして前記凹部に配置されていることを特徴とする。
【０００９】
請求項４の発明は、請求項１において、前記基板収納ケースの外面には凹部が形成され、前記凹部の内面に保持部材取付面が形成されていると共に、前記保持部材で保持された前記予備の封止部材が前記凹部から突出しないようにして前記凹部に配置され、前記保持部材には前記予備の封止部材を保持するための保持部と、当該保持部材を前記保持部材取付面に取り付けるための保持部材取付部と、前記保持部材取付部から前記凹部の外方に向けて突出し前記接触抑制部の少なくとも一部を構成する突出部とが設けられ、前記予備の封止部材は、少なくとも一部が前記保持部材の保持部と前記基板収納ケースの保持部材取付面で係合されることにより前記凹部に位置固定されていることを特徴とする。
【００１０】
請求項５の発明は、請求項２または４において、前記予備の封止部材は前記保持部材取付面から外部側に突出した状態で前記保持部材に保持され、前記予備の封止部材を保持した位置側と前記配線部材が配設された位置側との間に、前記保持部材の突出部が位置するように構成され、前記配線部材が配設された位置から前記予備の封止部材を保持した位置側へ移動するのを前記突出部で抑えていることを特徴とする。
【００１１】
請求項６の発明は、請求項５において、前記保持部材の突出部における一部には、前記配線部材が配設された位置側に向けて突出した突部が形成され、前記突部と前記基板収納ケースの外面間に配置された前記配線部材が前記突出部から外れて前記予備の封止部材が位置する側へ移動するのを前記突部で抑えていることを特徴とする。
【００１２】
請求項７の発明は、電気的に接続可能な配線部材と、制御基板を内部に収納可能な基板収納ケースと、を備え、前記配線部材は、少なくとも一部が前記基板収納ケースの外部に配設され、前記基板収納ケースは、ケース体と該ケース体に被さるカバー体とよりなり、前記ケース体と前記カバー体を封止部材で封止するための封止部が前記ケース体と前記カバー体に形成されている遊技機において、前記基板収納ケースの外面には、前記封止部で封止する前の予備の封止部材を保持する封止部材保持部が設けられると共に、前記封止部材保持部で保持された前記予備の封止部材が前記封止部材保持部による保持位置から前記封止部の封止をできるように構成され、前記基板収納ケースの外面には、前記封止部材保持部で保持されている前記予備の封止部材に対し前記基板収納ケースの外部に位置する前記配線部材の少なくとも一部が接近して接触するのを防ぐ接触抑制部が設けられていることを特徴とする。
【発明の効果】
【００１３】
請求項１の発明によれば、基板収納ケースの外面には、封止部で封止する前の予備の封止部材を保持する保持部材と、前記保持部材で保持されている前記予備の封止部材に配線部材が接近して接触するのを防ぐ接触抑制部とが設けられ、前記保持部材で保持された前記予備の封止部材が前記保持部材による保持位置からでは前記封止部の封止をできないように構成されていることにより、配線部材が基板収納ケース外部の予備の封止部材と接触して破損するおそれを低減することが可能である。
【００１４】
請求項２の発明によれば、前記基板収納ケースの外面には前記保持部材が取り付けられる保持部材取付面が形成され、前記保持部材には前記予備の封止部材を保持するための保持部と、当該保持部材を前記保持部材取付面に取り付けるための保持部材取付部と、前記保持部材取付部から前記基板収納ケースの外方に向けて突出し前記接触抑制部の少なくとも一部を構成する突出部とが設けられ、前記予備の封止部材の少なくとも一部が前記保持部材の保持部と前記基板収納ケースの保持部材取付面で係合されることにより、前記保持部材で予備の封止部材を保持することができると共に、前記保持部材に保持された前記予備の封止部材と配線部材が接触して破損するおそれを低減することが可能である。
【００１５】
請求項３の発明によれば、前記基板収納ケースの外面には凹部が形成され、前記凹部の内面に保持部材取付面が形成されていると共に、前記保持部材で保持された前記予備の封止部材が前記凹部から突出しないようにして前記凹部に配置されていることにより、前記保持部材で保持された前記予備の封止部材と配線部材が接触して破損するおそれを低減することが可能である。
【００１６】
請求項４の発明によれば、前記基板収納ケースの外面には凹部が形成され、前記凹部の内面に保持部材取付面が形成されていると共に、前記保持部材で保持された前記予備の封止部材が前記凹部から突出しないようにして前記凹部に配置され、前記保持部材には前記予備の封止部材を保持するための保持部と、当該保持部材を前記保持部材取付面に取り付けるための保持部材取付部と、前記保持部材取付部から前記凹部の外方に向けて突出し前記接触抑制部の少なくとも一部を構成する突出部とが設けられ、前記予備の封止部材は、少なくとも一部が前記保持部材の保持部と前記基板収納ケースの保持部材取付面で係合されることにより前記凹部に位置固定されていることから、前記保持部材で予備の封止部材を保持することができると共に、前記保持部材に保持された前記予備の封止部材と配線部材が接触して破損するおそれを低減することが可能である。
【００１７】
請求項５の発明によれば、前記予備の封止部材は前記保持部材取付面から外部側に突出した状態で前記保持部材に保持され、前記予備の封止部材を保持した位置側と前記配線部材が配設された位置側との間に、前記保持部材の突出部が位置するように構成され、前記配線部材が配設された位置から前記予備の封止部材を保持した位置側へ移動するのを前記突出部で抑えていることにより、前記保持部材に保持された前記予備の封止部材と配線部材が接触して破損するおそれを低減することが可能である。
【００１８】
請求項６の発明によれば、前記保持部材の突出部における一部には、前記配線部材が配設された位置側に向けて突出した突部が形成され、前記突部と前記基板収納ケースの外面間に配置された前記配線部材が前記突出部から外れて前記予備の封止部材が位置する側へ移動するのを前記突部で抑えていることにより、前記保持部材に保持された前記予備の封止部材と配線部材が接触して破損するおそれを低減することが可能である。
【００１９】
請求項７の発明によれば、基板収納ケースの外面には、封止部で封止する前の予備の封止部材を保持する封止部材保持部が設けられると共に、前記封止部材保持部で保持された前記予備の封止部材が前記封止部材保持部による保持位置から前記封止部の封止をできるように構成され、前記基板収納ケースの外面には、前記封止部材保持部で保持されている前記予備の封止部材に対し前記基板収納ケースの外部に位置する前記配線部材の少なくとも一部が接近して接触するのを防ぐ接触抑制部が設けられていることにより、前記封止部材保持部で保持された前記予備の封止部材と配線部材が接触して破損するおそれを低減することが可能である。
【発明を実施するための最良の形態】
【００２０】
以下添付の図面に基づき本発明の好適な実施形態を説明する。図１は本発明の一実施例に係る遊技機について遊技盤の釘を省略して示す正面図、図２は同遊技機の裏面図である。
【００２１】
図１に示す本実施例の遊技機１は、遊技媒体として遊技球を用いるパチンコ遊技機であって、遊技盤３の縁に遊技球の外側ガイドレール４及び内側ガイドレール５が略円形に立設され、前記内側ガイドレール５によって囲まれた遊技領域６の中心線上にその上部から下部に向かって順に表示装置９、始動入賞口１０、特別電動役物である大入賞口１５、アウト口１７が配設され、また上方両側にはランプ風車１８ａ，１８ｂ、その下方に普通図柄変動開始用左ゲート１９及び普通図柄変動開始用右ゲート２１、その下方に左袖入賞口２３と右袖入賞口２５、さらに前記大入賞口１５の両側に左落とし入賞口２７と右落とし入賞口２９が配設されている。なお、符号２２ａ，２２ｂは風車、Ｆ１は外枠、Ｆ２は外枠Ｆ１に取り付けられた前枠、Ｇは前枠Ｆ２に開閉可能にヒンジで取り付けられたガラス枠である。
【００２２】
また、前記遊技機の前面側には、効果音等を発する音声出力装置としてのスピーカ３２、ランプ装置としての右ランプ３３ａ及び左ランプ３３ｂ、払い出された遊技球を受けるための上側球受け皿３０、該上側球受け皿３０の飽和時に遊技球を受けるための下側球受け皿３１、前記外側ガイドレール４と内側ガイドレール５間の遊技球誘導路を介して遊技球を前記遊技領域６へ発射させる発射ハンドル３５が設けられている。前記発射ハンドル３５には遊技者が発射操作を行うための発射レバー３６を備えている。以下、所要の各部について詳述する。
【００２３】
前記表示装置９は、文字又は図柄等の画像を変動表示可能なものであって、液晶，ドットマトリックス若しくはＬＥＤ表示装置等の表示装置からなり、この実施例では、液晶表示器（ＴＦＴ−ＬＣＤモジュール）で構成され、左下に普通図柄表示部４５が組み込まれ、その他の大部分が特別図柄表示部４２となっている。
【００２４】
前記特別図柄表示部４２は、判定図柄としての特別図柄を変動表示した後、遊技の当たり外れを判定する判定手段による判定結果に基づく確定判定図柄を表示する。本実施例の特別図柄表示部４２は、横に並ぶ３つの表示領域として左側表示領域、中央表示領域、右側表示領域を備え、左側表示領域では左特別図柄（左判定図柄）が、中央表示領域では中特別図柄（中判定図柄）が、右側表示領域では右特別図柄（右判定図柄）が、それぞれ変動表示し、所定時間変動表示した後、判定結果に基づき左確定特別図柄、中確定特別図柄、右確定特別図柄が確定判定図柄として停止表示される。また、前記特別図柄表示部４２には、前記特別図柄（判定図柄）に加えて背景画像（キャラクタ，背景，文字等を含む。）が表示されることもあり、該背景画像が特別図柄の変動開始等の所定条件に起因して変動表示可能となっていてもよい。なお、この実施例における前記左側表示領域、中央表示領域、右側表示領域にそれぞれ変動および停止表示される特別図柄（判定図柄）は、『１，２，３，４，５，６，７，８』の８通りの図柄とされている。本実施例では、遊技における大当たりの当否判定結果が大当たりの場合には、前記特別図柄表示部４２に大当たり確定特別図柄組合せ、この例では『１，１，１』（いわゆる‘１’のぞろ目）や『２，２，２』（いわゆる‘２’のぞろ目）等、同一数字の組合せ）で判定図柄が停止表示され、遊技者に有利な大当たり遊技（特別遊技）に移行する。
【００２５】
前記普通図柄表示部４５は、記号或いは絵（キャラクタ）等の小当たり判定用普通図柄を変動表示及び停止表示する。本実施例における普通図柄表示部４５に変動及び停止表示される普通図柄は、『０，１，２，３，４，５，６，７，８，９』の１０通りの図柄とされている。前記普通図柄は、小当たり普通図柄、この例では奇数で停止すると、小当たりとなる。
【００２６】
前記始動入賞口１０は、前記特別図柄表示部４２の真下に設けられ、２つの可動片１０ａ，１０ｂが背面の始動入賞口用ソレノイドによって略垂直で遊技球の入賞（入球）し難い狭小開放状態（通常状態）と略Ｖ字形（逆ハの字形）の入賞し易い拡開開放状態間を変化可能に制御されている。前記始動入賞口１０の拡開開放は、前記普通図柄表示部４５で普通図柄が変動した後特定の普通図柄（本実施例では奇数）で確定停止表示されて小当たり（普通図柄当たり）が成立した時に行われる。
【００２７】
また、前記遊技盤３の背面には、前記始動入賞口１０に入賞（入球）した遊技球を検出する始動入賞口検出スイッチ（始動入賞口センサ）が入賞球用通路に設けられており、本実施例では、前記始動入賞口検出スイッチによる入賞球の検出が、前記特別図柄（判定図柄）の変動表示開始に対する起因に設定されている。
【００２８】
前記普通図柄変動開始用左ゲート１９及び普通図柄変動開始用右ゲート２１は前記特別図柄表示部４２の左右に設けられ、前記遊技盤３の背面に設けられた普通図柄変動開始スイッチで両ゲート１９，２１を通過する遊技球を検出することによって前記普通図柄表示部４５で普通図柄の変動を開始させるようになっている。さらにまた、前記左袖入賞口２３と右袖入賞口２５の入賞球を検出する左袖入賞口用検出スイッチと右袖入賞口用検出スイッチ、前記左落とし入賞口２７と右落とし入賞口２９の入賞球を検出する左落とし入賞口用検出スイッチと右落とし入賞口用検出スイッチが、それぞれ対応する遊技盤背面に設けられている。
【００２９】
前記大入賞口１５は、前記始動入賞口１０の下方に設けられており、前記遊技盤３の背面に設けられた大入賞口開放用ソレノイドによって開閉する開閉板１６を備えている。この大入賞口１５は、通常は開閉板１６が閉じた状態とされ、当該大入賞口１５内の一部には、該大入賞口１５が開いた際に開口して入賞可能にする特定領域入賞口１５ａを有する。さらに、該特定領域入賞口１５ａには、所定条件時に特定領域開放用ソレノイドにより開閉される開閉扉が設けられている。また、前記特定領域入賞口１５ａには特定入賞球を検出する特定入賞球検出スイッチ（特定領域センサ）が設けられ、該入賞球の検出により大入賞口１５を再度開ける継続権利が成立するようにされている。また、大入賞口１５内の略中央には、前記大入賞口１５に入賞し、かつ前記特定領域入賞口１５ａに入賞しなかった入賞球を検出する入賞球数カウントスイッチ（カウントセンサ）が設けられている。
【００３０】
前記遊技機１における遊技について、簡単に説明する。前記発射ハンドル３５の発射レバー３６を右方向へ所要量回動させると、遊技機裏側の発射装置により遊技球が遊技領域６へ発射される。遊技領域６へ向けて発射された遊技球は、前記遊技領域６を流下する際に、前記種々の入賞口に入賞すると入賞口に応じた所定数の遊技球が賞球として上側球受け皿３０に払い出される。また、前記普通図柄変動開始用左ゲート１９及び普通図柄変動開始用右ゲート２１を遊技球が通過すると、小当たり判定・普通図柄決定用乱数値が取得され、その取得乱数値に基づいて普通図柄の当たり（小当たり）判定が行われ、前記普通図柄表示部４５で普通図柄が変動を開始し、所定時間変動後に停止する。その際、前記普通図柄の当たり判定結果が小当たりの場合には、小当たり普通図柄、この例では奇数で停止し、前記始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記始動入賞口１０に遊技球が入賞すると、所定数の遊技球が賞球として払い出される。
【００３１】
また、前記始動入賞口１０に遊技球が入賞すると、大当たり当否判定用乱数値及び大当たり確定特別図柄の組合せ決定用乱数値が取得され、前記取得された大当たり当否判定用乱数値に基づいて大当たりの当否判定が行われ、前記特別図柄表示部４２で特別図柄が変動を開始し、所定時間変動後に停止する。
【００３２】
前記大当たりの当否判定結果が大当たりの場合には、前記特別図柄表示部４２に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な大当たり遊技（特別遊技）に移行する。前記大当たり遊技（特別遊技）状態になると、前記大入賞口１５の開閉板１６が開いて遊技領域６表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１０個）となった時点で閉じるようにされている。また、前記大入賞口１５の開放中又は大入賞口１５が閉じてから約２秒以内に、大入賞口内の特定領域入賞口１５ａへの入賞球が検出されると、前記大当たりを再度繰り返す継続権利が発生し、所定最高回数（例えば最高１６回）、前記開閉板１６の開放を繰り返すようになっている。
【００３３】
前記遊技機１の裏面側には、図２に示すように、主基板収納ケース５１、表示基板収納ケース５２、ランプ基板収納ケース５３、音声基板収納ケース５４、払出基板収納ケース５５、発射装置基板収納ケース５６、電源基板収納ケース５７、枠用外部端子基板収納ケース５８、払出装置５９、遊技店からの遊技球を貯留するタンク６０、遊技球を前記タンク６０から前記払出装置５９へ誘導するタンクレール６１、遊技球の発射装置３７等が取り付けられている。前記の各基板収納ケース内には、対応する制御基板がそれぞれ収納されている。すなわち、前記主基板収納ケース５１には主制御基板、前記表示基板収納ケース５２には表示制御基板、前記ランプ基板収納ケース５３にはランプ制御基板、前記音声基板収納ケース５４には音声制御基板、前記払出基板収納ケース５５には払出制御基板、前記発射装置基板収納ケース５６には発射装置制御基板、前記電源基板収納ケース５７には電源制御基板、前記枠用外部端子基板収納ケース５８には枠用外部端子制御基板が収納されている。なお、前記各制御基板は、それぞれ制御回路が設けられ、電気的に接続が可能な配線部材によって、他の制御基板や対応する装置等と接続されている。主な制御基板について、以下に簡単に説明する。
【００３４】
前記主制御基板は、ＣＰＵ，ＲＡＭ，ＲＯＭ，複数のカウンタを備えたワンチップマイクロコンピュータと、該ワンチップマイクロコンピュータと表示制御基板やランプ制御基板、音声制御基板等とを結ぶ入出力回路と、前記ワンチップマイクロコンピュータと払出制御基板等とを結ぶ入出力回路を備え、遊技の当否判定や各制御回路に対する制御等、遊技の主な制御を行う。前記主制御基板のＣＰＵは、制御部，演算部，各種カウンタ，各種レジスタ，各種フラグ等を備え、演算制御を行う他、大当たりや小当たり（始動入賞口１０の拡開開放を行う普通図柄当たり）に関する乱数等も生成し、また前記各回路に制御コマンド（制御信号）を出力（送信）可能に構成されている。前記ＲＡＭは、ＣＰＵで生成される各種乱数値用の記憶領域、各種データを一時的に記憶する記憶領域やフラグ、ＣＰＵの作業領域を備える。また、前記ＲＯＭには、遊技上の制御プログラムや制御データが書き込まれている他、大当たり及び小当たりの判定値等が書き込まれている。
【００３５】
前記表示制御基板は、前記主制御基板からのコマンドに基づいて前記表示装置９の制御、すなわち前記特別図柄表示部４２及び普通図柄表示部４５の制御を行う。前記表示制御基板には、表示制御用ＣＰＵの他に表示装置の制御データを記憶する制御データＲＯＭ、受信コマンドを一時記憶する制御データＲＡＭ、表示データを記憶する表示データＲＯＭなどを備える。
【００３６】
前記ランプ制御基板は、受信コマンドに基づいて前記ランプ装置の発光制御を行う。前記ランプ制御基板には、ランプ制御用ＣＰＵの他にランプ装置の制御データを記憶する制御データ、受信したコマンドを一時記憶する制御データＲＡＭ、発光データを記憶する発光データＲＯＭを備える。
【００３７】
前記音声制御基板は、受信コマンドに基づいて、スピーカ３２から発生させるＢＧＭや演出時の音声の選択を行い、スピーカ３２から発する音声を制御する。前記音声制御基板には、音声制御用ＣＰＵの他に音声を発生させるための制御データ等を記憶する制御データＲＯＭ、受信コマンドを一時記憶する制御データＲＡＭ、演出時の各種音声データ、ＢＧＭデータを記憶する音声データＲＯＭを備える。前記音声制御用ＣＰＵが、前記受信コマンドに基づいて音声データＲＯＭから必要な音声データを読み出し、音声信号を合成し、アンプに出力する。アンプは音声信号を増幅してスピーカ３２に出力する。
【００３８】
前記払出制御基板は前記払出装置５９による賞球及び貸球の払出を制御する。また、前記発射制御基板は、遊技者の手が発射ハンドル３５に触れているか否かを、前記発射ハンドル３５に設けられているタッチセンサ（図示せず）により検出し、前記発射装置３７を制御する。
【００３９】
前記制御基板を収納する各基板収納ケースは、内部に前記制御基板を収納可能なケースで構成されている。本実施例においては、前記払出基板収納ケース５５に本発明の基板収納ケースの構成が適用されている。以下、前記払出基板収納ケース５５について詳述する。
【００４０】
前記払出基板収納ケース５５は、図３に示すような取付台Ｋを介して前記遊技機１の裏側に取り付けられる。前記取付台Ｋは、金属板などからなり、前記遊技機１の裏側にネジや係合爪などで取り付けられる。また、前記払出基板収納ケース５５は、前記取付台Ｋにネジなどで取り付けられる。
【００４１】
図４は前記払出基板収納ケース５５の分解斜視図、図５は前記払出基板収納ケース５５におけるカバー体７１について保持部材７５０及び金属プレート７２の取付前の斜視図、図６は前記払出基板収納ケース５５における配線部材取付前の斜視図、図７は前記払出基板収納ケース５５における配線部材取付後の斜視図、図８は前記払出基板収納ケース５５における配線部材の移動規制を説明する図、図９は図８のＡ−Ａ断面図、図１０は図８のＢ−Ｂ断面図である。
【００４２】
前記払出基板収納ケース５５は、本実施例では透明なプラスチック製からなり、ケース体６５とカバー体７１で構成され、前記ケース体６５と前記カバー体７１間で形成される基板収納空間に払出制御基板Ｐが収納される。前記払出制御基板Ｐには、一コーナー部の表面に被接続部Ｐ１としてのコネクタが設けられている。
【００４３】
前記ケース体６５は、前記払出基板収納ケース５５における取付側半体に相当し、本実施例では前記払出制御基板Ｐを載置可能な大きさの浅い箱状からなり、一側側壁６５２にカバー体係止片挿入開口部６５４，６５４が形成され、反他側の側壁６５３にケース体係止片６５５，６５５と封止部形成片６５６が形成されている。前記ケース体係止片６５５，６５５の先端には外向きの爪が形成されている。なお、前記ケース体６５の裏面側が前記取付台Ｋにネジで取り付けられる。
【００４４】
前記封止部形成片６５６は、前記ケース体係止片６５５，６５５間に立設された板状部６５７の先端に複数組（図示の例では４組）のケース体側封止部６５８が細いくびれ状の切断破壊可能部（図１０の符号６５６ａ）を介して形成されている。前記封止部形成片６５６は、前記カバー体７１が前記ケース体６５に被せられた際に前記カバー体７１の外側に位置するように形成されている。前記複数組のケース体側封止部６５８にはそれぞれ封止部材用ケース体側挿通孔６５９が形成されている。
【００４５】
前記カバー体７１は、前記払出基板収納ケース５５における蓋体側半体に相当し、前記ケース体６５側へ向けて開口した箱状からなり、前記ケース体６５に被さる大きさからなる。前記カバー体７１は、一側の側壁７１１に、前記カバー体係止片挿入開口部６５４，６５４に挿入係止可能なカバー体係止片７１５，７１５が外向きに突出形成され、反対の側壁７１２には前記ケース体係止片６５５，６５５の挿入係止可能なケース体係止片挿入開口部７１６，７１６とカバー体側封止部７１８が形成されている。
【００４６】
前記カバー体７１における前記ケース体係止片挿入用開口部７１６，７１６は、前記カバー体７１の厚み方向Ｈに開口しており、前記ケース体係止片６５５，６５５が挿入されることにより、前記ケース体係止片６５５先端の爪が前記ケース体係止片挿入用開口部７１６，７１６の開口縁に係合するように構成されている。図５にカバー体７１を拡大して示す。
【００４７】
前記カバー体側封止部７１８は、前記ケース体６５に前記カバー体７１を被着した際の前記ケース体側封止部６５８と位置を合わせて複数組（図示の例では４組）形成されている。前記カバー体側封止部７１８は、前記封止部材用ケース体側挿通孔６５９に位置を合わせて封止部材用カバー体側挿通孔７１９が形成されている。また、前記カバー体側封止部７１８が設けられている前記側壁７１２の内側には、前記カバー体側封止部７１８と位置を合わせて封止部材係合孔７２１の形成された金属プレート７２を、前記側壁７１２との間で挟持するための挟持片７１７が形成され、前記挟持片７１７に前記封止部材用カバー体側挿通孔７１９と位置を合わせて封止部材用カバー体側挿通孔７１９ａが形成されている。前記金属プレート７２の封止部材係合孔７２１は、前記封止部材用カバー体側挿通孔７１９，７１９ａ及び前記封止部材用ケース体側挿通孔６５９よりも所定量小径とされている。前記カバー体側封止部７１８の形成されている前記側壁７１２の外面には、前記ケース体６５に前記カバー体７１が被着された際に、前記ケース体６５における前記封止部形成片６５６の先端側が挿入される封止部形成片挿入部７２３が、前記ケース体６５側へ向けて開口形成されている。
【００４８】
前記ケース体６５とカバー体７１の封止は、前記ケース体６５に前記カバー体７１が被着された後、先端側外周に環状の係合溝９１の形成されている封止部材９０を、図１０に示すように、前記ケース体側封止部６５８の封止部材用ケース体側挿通孔６５９、前記金属プレート７２の封止部材係合孔７２１及び前記カバー体側封止部７１８の封止部材用カバー体側挿通孔７１９，７１９ａに挿通し、前記金属プレート７２の封止部材係合孔７２１に前記封止部材９０の係合溝９１を係合させることにより行われる。なお、前記封止の解除は、前記ケース体６５における前記封止部形成片６５６の前記細いくびれ状の切断破壊可能部６５６ａを切断あるいは破壊することにより可能となる。
【００４９】
また、前記カバー体７１において、厚み方向Ｈと略垂直な外面（制御基板と略平行な外面）には、前記払出基板収納ケース５５の一端部側に、保持部材取付面７３１と、脱落抑制部形成面７４１が、各々段差で略平行となる位置関係に設けられている。なお、本実施例では、前記カバー体７１において厚み方向Ｈと略垂直な外面（制御基板と略平行となる外面）として、前記払出基板収納ケース５５における厚みが最大の部位を構成する第１外面７１ａと、厚みが最少の部位を構成する第３外面７１ｃと、厚みが中間の部位を構成する第２外面７１ｂが、互いに略平行にかつ段差形状に形成されている。前記第１外面７１ａの一端部側には第１凹部７３０が形成され、前記第１凹部７３０の一内面である底面が前記保持部材取付面７３１を構成している。前記第１凹部７３０は本発明の凹部に相当し、該第１凹部７３０に配置された後述の予備の封止部材９３が前記第１凹部７３０から突出しない深さで形成されている。一方、前記第２外面７１ｂにおいて、前記第１凹部７３０と対応する一端部側には第２凹部７４０が形成され、前記第２凹部７４０の底面が前記脱落抑制部形成面７４１と開口部形成面７４３を構成している。本実施例では、前記脱落抑制部形成面７４１と前記開口部形成面７４３は同一面に略隣接して設けられている。なお、前記保持部材取付面７３１と前記脱落抑制部形成面７４１と前記開口部形成面７４３の位置関係は、本実施例に限られるものではなく、各々厚み方向Ｈに対して異なる高さとなるようにしてもよいし、それら３つの形成面のうち少なくとも２つの形成面が同一面となるようにしてもよい。
【００５０】
前記保持部材取付面７３１の外面には、保持部材位置決めピン７３２が立設され、前記保持部材位置決めピン７３２が挿入される位置決め孔７５１の形成された保持部材７５０が溶着されている。前記保持部材７５０は、図９（図５も参照）からよりよく理解されるように、保持部材取付部７５２と、前記保持部材取付部７５２から前記払出基板収納ケース５５の外方へ突出した突出部７５４を有する。前記突出部７５４は、前記脱落抑制部形成面７４１に対して略平行に払出基板収納ケース５５の外方へ突出すると共に、封止前の予備の封止部材９３を保持した位置側と配線部材Ｃが配設された側との間、すなわち前記保持部材７５０により保持された予備の封止部材９３と前記払出基板収納ケース５５の外部に配設された配線部材Ｃとの間に位置し、前記配線部材Ｃの配置された位置から前記予備の封止部材９３を保持した位置側へ、前記配線部材Ｃが移動するのを抑えるようにされている。前記突出部７５４の一部、本実施例では突出部７５４の先端には、前記配線部材Ｃが配設された位置側に向けて突出した突部７５５を備え、前記突部７５５と前記払出基板収納ケース５５の外面間（本実施例では後述の配線部材収納空間７６１）に配置された前記配線部材Ｃが前記突出部７５４から外れて前記予備の封止部材９３が位置する側へ移動するのを前記突部７５５で抑えている。本実施例では、前記突出部７５４と前記突部７５５によって本発明の接触抑制部７５３を構成している。前記突出部７５４は、前記脱落抑制部形成面７４１に対して所定距離離れて略平行に位置し、また、前記突部７５５は前記第２凹部７４０の側壁７４４（前記払出基板収納ケース５５の側壁に相当する）に対して略平行に所定距離離れた位置となるように形成されている。なお、この実施例では、接触抑制部を前記突出部７５４と前記突部７５５によって構成したものとしているが、前記突出部７５４のみで接触抑制部を構成してもよい。
【００５１】
さらに、本実施例では、前記保持部材取付部７５２には前記突出部７５４とは反対側に細いくびれ状の切断破壊可能部７５６を介して保持部７５７が複数組（本実施例では３組）形成されている。前記保持部７５７は、予備の封止部材９３を挿通可能な孔７５８が形成されていると共に、前記孔７５８に挿通された予備の封止部材９３の拡大頭部９３１を前記封止部材７５０の保持部７５７と前記保持部材取付面７３１で係合可能に、すなわち本実施例では前記予備の封止部材９３の拡大頭部９３１を前記封止部材７５０の保持部７５７と前記保持部材取付面７３１との間で挟持可能なように構成されている。前記予備の封止部材９３は、前記封止部で払出基板収納ケース５５の封止を解消した後、再び封止する際に使用される予備の封止部材であり、前記払出基板収納ケース５５の封止に用いられている前記封止部材９０と同一の構成からなる。なお、前記保持部７５７に保持されて前記第１凹部７３０に配置された予備の封止部材９３は、前記のように第１凹部７３０から突出しないようにされ、それによって、配線部材Ｃが予備の保持部材９３に引っ掛かって破損する可能性を低減するように構成されている。さらに、第１凹部７３０の存在により、たとえば、遊技機が後方側に向けて倒れて予備の保持部材９３が破損したり、他の基板収納ケースなどの物体が予備の保持部材９３に当たるなどにより予備の保持部材９３が破損するなどのおそれを低減することが可能である。すなわち、予備の封止部材が外部からの影響で破損するおそれを低減することが可能である。また、本実施例では保持部７５７と前記接触抑制部７５３を１つの部材で構成したため、部材の節約が可能となっている。さらに、本実施例では、前記保持部材７５０により保持された封止前の予備の封止部材９３が、前記保持位置からでは、前記ケース体側封止部６５８と前記カバー体側封止部７１８を封止できないようにされている。なお、保持部７５７と接触抑制部７５３を１つの部材で構成しているが、上記効果を発揮できるものであれば、別体にしてもよい。
【００５２】
一方、前記脱落抑制部形成面７４１には、脱落抑制部７４５が前記保持部材７５０の突出部７５４側に向けて突出して形成されている。本実施例において、前記脱落抑制部７４５は、前記保持部材７５０における先端の突部７５５と前記第２凹部７４０の側壁７４４（前記払出基板収納ケース５５の側壁に相当する）との間に、前記脱落抑制部７４５の先端７４６（図９に示す）を配置可能な板状からなる。前記第２凹部７４０の側壁７４４（前記払出基板収納ケース５５の側壁に相当する）と、前記保持部材７５０の突出部７５４と突部７５５及び前記脱落抑制部７４５で略包囲される空間によって配線部材収納空間７６１が構成される。また、前記脱落抑制部７４５と前記突部７５５との間には、前記配線部材Ｃを前記配線部材収納空間７６１へ挿入可能な挿入部７６３として隙間が形成されている。前記挿入部７６３は、前記配線部材Ｃを前記配線部材収納空間７６１から引き出す際の引き出し部としても利用される。
【００５３】
前記開口部形成面７４３は開口部７４７（図５等に示す）が形成されていると共に、前記保持部材７５０の突出部７５４との間に前記配線部材Ｃを通すことが可能にされている。前記開口部７４７は、前記払出基板収納ケース５５に収納された払出制御基板Ｐの被接続部Ｐ１を露出させ、前記接続部材Ｃの接続部Ｃ１としてのプラグを挿入可能とするものである。また、前記開口部７４７は、図７及び図８から容易に理解されるように、前記開口部７４７に挿通されて前記払出制御基板Ｐの被接続部Ｐ１に接続部Ｃ１で接続された配線部材Ｃを、前記開口部形成面７４３と前記保持部材７５０の突出部７５４間に通した際に前記開口部７４７から出た部分で一旦屈曲させることとなる位置に設けられる。
【００５４】
前記払出基板収納ケース５５にあっては、図８及び図９に示すように、前記保持部材７５８の突部７５５と前記払出基板収納ケース５５の外面間に位置する前記配線部材収納空間７６１に、前記配線部材Ｃが収納されているため、前記配線部材Ｃが乱雑になるのを抑えることができる。さらに、前記配線部材収納空間７６１に収納されている配線部材Ｃが、前記予備の封止部材９３が位置する側Ｄへ移動しようとしても、前記保持部材７５０の突出部７５４、すなわち前記接触抑制部７５３の一部に配線部材Ｃが衝突して前記予備の封止部材９３の位置する側Ｄへ移動するのが抑えられる。また、前記配線部材Ｃが前記保持部材７５０の突部７５５と交差する外方向Ｆへ引っ張られることがあっても、その場合には、前記配線部材Ｃが、前記突部７５５と衝突して前記配線部材収納空間７６１から引き出されて前記突出部７５４から外れるのを抑えることができる。さらに、前記開口部７４７に挿通されて前記払出基板収納ケース５５内の払出制御基板Ｐの被接続部Ｐ１に接続部Ｃ１で接続された配線部材Ｃは、前記開口部形成面７４３（本実施例では脱落抑制部規制面７４１と同一面で構成されている）と前記保持部材７５０の突出部７５４間に通した際に、前記開口部７４７の出口付近でから一旦屈曲しているため、前記配線部材Ｃに沿う方向Ｅへ配線部材Ｃが引っ張られることがあっても、引っ張られる方向Ｅと、前記配線部材Ｃの接続部Ｃ１が前記払出基板Ｐの被接続部Ｐ１から外れる方向Ｍとが異なるため、前記配線部材Ｃの接続部Ｃ１が前記払出制御基板Ｐの被接続部Ｐ１から外れるのを抑えることが可能である。また、前記予備の封止部材９３が位置する側Ｄや前記突部７５５と交差する外方向Ｆへ配線部材Ｃが引っ張られることがあっても、前記突部７５５や突出部７５４に配線部材Ｃが衝突するため、前記接続部Ｃ１が被接続部Ｐ１から外れる方向Ｍに力が働きにくく、前記被接続部Ｐ１から接続部Ｃ１が外れるのを抑えることが可能である。
【００５５】
しかも、前記配線部材収納空間７６１の配線部材Ｃに、前記脱落抑制部７４５に対して交差する外方向Ｇへ力が働いても、前記配線部材Ｃは、前記脱落抑制部７４５と衝突して外方向Ｇへの移動が阻止されるため、前記突部７５５の先端と前記脱落抑制部形成面７４１（本実施例では開口部形成面７４３と同一面）との隙間７４８を通って前記配線部材収納空間７６１から不意に外れることが防止される。よって、配線部材Ｃが予備の封止部材９３に引っ掛かったりして、破損するおそれの低減が可能である。なお、前記配線部材収納空間７６１の配線部材Ｃを前記配線部材収納空間７６１から引き出すには、前記突部７５５に沿って前記配線部材Ｃを挿入部７６３へ移動させ、前記挿入部７６３から配線部材収納空間７６１の外部へ誘導すればよい。
【００５６】
また、前記配線部材収納空間７６１に収納された配線部材Ｃが前記突出部７５４から一層外れ難くするため、図１１に示すように、前記突部７５５を前記突出部７５４とで略コの字形状を構成するようにしてもよい。これによって、配線部材Ｃが予備の封止部材９３に引っ掛かったりして、破損するおそれの低減を強化することが可能である。
【００５７】
さらに、前記突出部７５４は、図１２に示す保持部材７５０Ａのように、複数本、例えば平行に２本突出したものであってもよい。図１３は前記突出部７５４が２本の保持部材７５０Ａを取り付けた状態を示す斜視図、図１４は図１３のＵ−Ｕ断面図である。なお、前記突出部７５４が１本からなる前記保持部材７５０の場合と同一名称の部分については、同一の符号で示した。
【００５８】
また、前記突出部７５４は、前記脱落抑制部形成面７４１に対して起立したものであってもよい。図１５は、前記突出部７５４が前記脱落抑制部形成面７４１に対して起立した状態の保持部材７５０Ｂを示す。なお、前記突出部７５４が１本からなる前記保持部材７５０の場合と同一名称の部分については、同一の符号で示した。前記保持部材７５０Ｂは、保持部材取付部７５２に対して保持部７５７とは反対側で前記突出部７５４が保持部材取付部７５２から略垂直に起立し、さらに前記突出部７５４からは突部７５５が前記保持部７５７とは略平行に、かつ前記保持部７５７とは反対側へ突出している。図１６は前記突出部７５４が起立した保持部材７５０Ｂを取り付けた状態を示す斜視図、図１７は図１６におけるＶ−Ｖ断面図である。この実施形態の場合、前記カバー体７１における第１凹部７３０の底面は内奥側が前記保持部材取付面７３１とされる一方、端部側が脱落抑制部形成面７４１とされ、前記脱落抑制部形成面７４１から前記突部７５５に向けて前記脱落抑制部７４５が起立して形成されている。
【００５９】
なお、前記の説明では、請求項５における「前記予備の封止部材は前記保持部材取付面から外部側に突出した状態で前記保持部材に保持され」は、前記予備の封止部材が前記保持部材取付面に対して略垂直に起立した状態を示したが、前記保持部材取付面に対して倒れた状態（横になった状態）や、傾斜して立ち上がった状態の場合も含むものである。
【００６０】
また、前記の実施形態では、前記予備の封止部材９３が保持された位置からでは、前記カバー体側封止部６５８と前記ケース体側封止部７１８を、予備の封止部材９３によって封止できない構成とされているが、予備の封止部材が保持された位置から封止部を封止できるように構成してもよい。図１８に示す払出基板収納ケース５５Ｃは、予備の封止部材９３が保持された位置からカバー体側封止部６５８Ｃとケース体側封止部７１８Ｃを封止できるように構成された例である。
【００６１】
図１８に示す払出基板収納ケース５５Ｃは、ケース体６５Ｃの封止部６５８Ｃに封止部材用ケース体側挿通孔６５９Ｃが形成され、一方、カバー体７１Ｃの封止部７１８Ｃには封止部材用カバー体側挿通孔７１９Ｃが形成され、前記封止部材用カバー体側挿通孔７１９Ｃに金属プレート７２Ｃが保持されている。前記金属プレート７２Ｃには、封止部材係合孔７２１Ｃが形成されている。また、図１８の１８−Ａに示すように、予備の封止部材保持状態では、予備の封止部材９３Ｃが封止前の状態で保持されている。前記予備の封止部材９３Ｃは、前記金属プレート７２Ｃの封止部材係合孔７２１Ｃよりも僅かに大径とされた軸部９３１Ｃの側面途中に、前記ケース体６５Ｃにおける封止部材用ケース体側挿通孔６５９Ｃよりも所定量大に形成された環状の隆起部９３３Ｃを備え、前記隆起部９３３Ｃが前記ケース体６５Ｃにおける封止部材用ケース体側挿通孔６５９Ｃの奥端部６６０Ｃと当接する共に、先端９３４Ｃの外周縁が前記金属プレート７２Ｃの封止部材係合孔７２１の内周縁と当接しすることにより未封止の状態で保持されている。前記封止部材用ケース体側挿通孔６５９Ｃの奥端部６６０Ｃと前記金属プレート７２Ｃが、請求項７の封止部材保持部に相当する。また、前記予備の封止部材９３Ｃは、前記先端９３４Ｃと前記隆起部９３３Ｃ間に環状の係合溝９３２Ｃが形成されている。
【００６２】
前記予備の封止部材９３Ｃが保持された位置から封止を行うには、前記予備の封止部材９３Ｃを前記保持位置から、図１８の１８−Ｂに示すように、前記払出基板収納ケース５５Ｃの内方へ押し込む。それにより、前記予備の封止部材９３Ｃは、前記金属プレート７２Ｃの封止部材係合孔７２１Ｃを押し広げながら前進し、前記環状の係合溝９３２Ｃに前記金属プレート７２Ｃの封止部材係合孔７２１Ｃの内周縁が係合して、前記ケース体６５Ｃと前記カバー体７１Ｃの封止が行われる。
【００６３】
また、前記ケース体６５Ｃには、前記封止部６５８Ｃが形成されている側部外面６６１Ｃにおいて、前記封止部６５８Ｃよりも前記ケース体６５Ｃの底部方向Ｙの位置に配線部材Ｃが配設されると共に、前記予備の封止部材９３Ｃを保持した位置側と前記配線部材Ｃが配設された位置側との間に外方へ突出した突出部７５４Ｃが形成され、さらに前記突出部７５４Ｃの先端から前記配線部材Ｃが配設された位置側に向けて突出した突部７５５Ｃが形成されている。本実施例における前記突部７５５Ｃは前記突出部７５４Ｃとで略コの状形状を構成するように前記側部外面６６１Ｃ側へ屈曲した形状とされ、前記突出部７５４Ｃと前記突部７５５Ｃ及び前記側部外面６６１Ｃ間で構成される配線部材収納空間７６１Ｃに前記配線部材Ｃが配置される。前記突出部７５４Ｃと前記突部７５５Ｃは接触抑制部７５３Ｃを構成し、前記封止部材保持部で保持されている前記予備の封止部材９３Ｃに対し、前記払出基板収納ケース５５Ｃの外部に位置する配線部材Ｃの少なくとも一部が接近して接触するのを前記接触抑制部７５３Ｃで防いでいる。また、前記ケース体６５Ｃにおける側部外面６６１Ｃには、前記配線部材収納空間７６１Ｃへ向けて突出した脱落抑制部７４５Ｃが、前記接触抑制部７５３Ｃの突出部７５４Ｃと略平行に形成されている。前記脱落抑制部７４５Ｃは、前記配線部材収納空間７６１Ｃから前記配線部材Ｃを脱落し難くする。
【００６４】
なお、前記実施形態の説明では、前記突出部の先端に突部が形成された場合を示したが、前記突出部の途中に突部が形成されたものであってもよいし、突出部のみでもよい。さらに、前記実施形態においては、払出基板収納ケースを例にして説明したが、本発明における基板収納ケースの構成は、払出基板収納ケースに限定されるものではなく、他の基板収納ケースについても適用可能である。また、接触抑制部や封止部及び保持部材の取付位置等は、前記実施形態の位置に限定されず、基板収納ケースにおける他の端部であってもよい。さらにまた、接触抑制部は、カバー体でもケース体でも何れに形成してもよい。また、本実施例では凹部を設け、凹部内に予備の封止部材と保持部材を設けているが、それに限るものではなく、凹部を設けずに基板収納ケースの外面に直接設けてもよい。さらに、本実施例では、保持部材において、保持部材取付部７５２と接触抑制部７５３と保持部材の保持部７５７との位置関係が保持部材の保持部７５７、保持部材取付部７５２、接触抑制部７５３の順で略直線方向に位置するように設けているが、この位置関係に限るものではなく、本構成を満たすものであれば、どのような位置関係でもよい。例えば、保持部材がＬ字型に形成されており、Ｌ字上に沿って保持部材の保持部７５７、保持部材取付部７５２、接触抑制部７５３を設けるなどにしてもよい。また、本発明は、パチンコ遊技機に限られず、制御基板を収納する基板収納ケースを有する遊技機であれば適用可能である。
【図面の簡単な説明】
【００６５】
【図１】本発明の一実施例に係る遊技機について遊技盤の釘を省略して示す正面図である。
【図２】同遊技機の裏面図である。
【図３】取付台と払出基板収納ケースの分離状態を示す斜視図である。
【図４】払出基板収納ケースの分解斜視図である。
【図５】払出基板収納ケースにおけるカバー体について保持部材及び金属プレート取付前の斜視図である。
【図６】払出基板収納ケースにおける配線部材取付前の斜視図である。
【図７】払出基板収納ケースにおける配線部材取付状態の斜視図である。
【図８】払出基板収納ケースにおける配線部材の移動規制を説明する図である。
【図９】図８のＡ−Ａ断面図である。
【図１０】図８のＢ−Ｂ断面図である。
【図１１】突部と突出部で略コの字形状を構成する場合を示す断面図である。
【図１２】突出部が２本の保持部材を示す斜視図である。
【図１３】突出部が２本の保持部材を取り付けた状態の斜視図である。
【図１４】図１３のＵ−Ｕ断面図である。
【図１５】突出部が脱落抑制部形成面に対して起立した保持部材を示す斜視図である。
【図１６】突出部が脱落抑制部形成面に対して起立した保持部材を取り付けた状態の斜視図である。
【図１７】図１６のＶ−Ｖ断面図である。
【図１８】予備の封止部材が保持位置から封止部の封止をすることができる払出基板収納ケースの断面図である。
【符号の説明】
【００６６】
１  遊技機
３  遊技盤
６  遊技領域
９  表示装置
３５  発射ハンドル
５５  払出基板収納ケース
６５  ケース体
７１  カバー体
６６０Ｃ  封止部材用ケース体側挿通孔の奥端部（本発明の保持部）
７２１Ｃ  金属プレートの封止部材係合孔（本発明の保持部）
７３０  第１凹部（本発明の凹部）
７３１  保持部材取付面
７５０  保持部材
７５２  保持部材取付部
７５３  接触抑制部
７５４  突出部
７５５  突部
７５７  保持部材の保持部
Ｃ    配線部材
Ｐ    払出制御基板（制御基板）
【図１】
2007143903.tif 000003
【図２】
2007143903.tif 000004
【図３】
2007143903.tif 000005
【図４】
2007143903.tif 000006
【図５】
2007143903.tif 000007
【図６】
2007143903.tif 000008
【図７】
2007143903.tif 000009
【図８】
2007143903.tif 000010
【図９】
2007143903.tif 000011
【図１０】
2007143903.tif 000012
【図１１】
2007143903.tif 000013
【図１２】
2007143903.tif 000014
【図１３】
2007143903.tif 000015
【図１４】
2007143903.tif 000016
【図１５】
2007143903.tif 000017
【図１６】
2007143903.tif 000018
【図１７】
2007143903.tif 000019
【図１８】
2007143903.tif 000020